(57)【要約】【課題】この発明は、自動販売機の展示室内に展示される特定の展示見本を目立たせて人の注目を引くことができる見本装飾パーツの提供を目的とする。【解決手段】一対の側部パーツ２０を、展示室Ａａ内の展示パネルＡｂに固定された展示見本Ｃ１又はＣ２の両側部と、展示見本Ｃ１，Ｃ２の一方又は両方を並列してなる見本群の両側部と、展示見本Ｃ１，Ｃ２が固定された台座パーツ３０Ａ，３０Ｂの両側部とに配置する。つまり、展示見本Ｃ１，Ｃ２の両側部に配置された蛍光アクリル樹脂製の側部パーツ２０と、展示見本Ｃ１，Ｃ２が固定された蛍光アクリル樹脂製の台座パーツ３０Ａ，３０Ｂとが蛍光発光する。これにより、展示見本Ｃ１，Ｃ２を側部パーツ２０及び台座パーツ３０Ａ，３０Ｂの蛍光発光により目立たせて人の注目を引くことができる。【選択図】図１
2012022606.tif 000002
【特許請求の範囲】
【請求項１】
自動販売機の展示室内に展示される展示見本を装飾する見本装飾パーツであって、
前記見本装飾パーツを、透光性を有する蛍光プラスチックで構成するとともに、該見本装飾パーツの端面が前記展示見本の正面と一致する方向に向けられて該展示見本の側部及び／又は下部に配置した
見本装飾パーツ。
【請求項２】
前記見本装飾パーツを、前記展示見本と平行して該展示見本の側部に起立した姿勢に配置される板状の側部パーツで構成した
請求項１に記載の見本装飾パーツ。
【請求項３】
前記見本装飾パーツを、前記展示見本が起立した姿勢に固定される台状の台座パーツで構成した
請求項１又は２に記載の見本装飾パーツ。
【請求項４】
前記パーツの前端を、該パーツの長手方向から見て多面形状に形成した
請求項１〜３のいずれか一つに記載の見本装飾パーツ。
【請求項５】
前記パーツの前端に、該前端に沿って複数の凹凸を形成した
請求項１〜４のいずれか一つに記載の見本装飾パーツ。
【請求項６】
前記パーツに、前記自動販売機が販売する商品に関連した販売促進情報が印刷された表示ラベルを差込み固定するための差込み溝を形成した
請求項１〜５のいずれか一つに記載の見本装飾パーツ。
【請求項７】
前記パーツの上面に、前記展示見本の底部を差込み固定するための開口部を形成した
請求項１〜６のいずれか一つに記載の見本装飾パーツ。
【請求項８】
前記展示室内の壁面と対応する前記パーツの端部に、該壁面に対し前記パーツを吸着固定するための磁石を取り付けた
請求項１〜７のいずれか一つに記載の見本装飾パーツ。
【請求項９】
前記側部パーツの間を、該側部パーツの配置間隔を左右方向に可変する連結手段で拡縮自在に連結した
請求項１〜８のいずれか一つに記載の見本装飾パーツ。
【発明の詳細な説明】
【技術分野】
【０００１】
この発明は、自動販売機が販売する商品の選択購入、販売促進、宣伝広告、注目度等の訴求力を高めるために用いられる見本装飾パーツに関する。
【背景技術】
【０００２】
一般に、自動販売機の展示室内には、商品の選択や宣伝を目的として、多種類の商品の展示見本が展示されている。さらに、展示見本を展示室に展示するだけではなく、新商品、おすすめ商品等の特定の展示見本については、その商品を消費者にアピールするために、宣伝効果を高めることを目的とする広告用のラベル（ＰＯＰ）を展示見本に取り付けることがある。
【０００３】
近年では、自動販売機において、１つの新商品が登場してから次の新商品が登場するまでのサイクルが早まっている。新商品が登場した場合は、どの商品が新商品なのかをいち早く消費者に気付かせるため、より効果的なアピールが必要となっている。その他、季節、行事等に応じたおすすめ商品に対しても、販売促進を目的とする宣伝が必要になり、この宣伝がラベルによって行われる場合が多くなっており、ラベルを用いて商品をアピールすることの重要性は日々高まっている。
【０００４】
上記特定の展示見本を目立たせる方法として、例えば既に提案済みの自動販売機のサンプル装飾用囲い（特許文献１参照）には、商品サンプル展示室内のサンプル台上に展示された商品サンプルの後部と両側部を囲むようにして、蛍光樹脂材により形成された割り円筒状のサンプル装飾囲いをサンプル台上に取り付け、そのサンプル装飾用囲いの曲面を蛍光発光させることで特定の商品サンプルを印象付けることが開示されている。
【０００５】
しかし、上述の自動販売機から商品を購入する場合、商品サンプル展示室内に展示された商品サンプルを消費者の目で確認して商品を購入選択するため、一般的に商品サンプル展示室は消費者の目の高さに設けられているが、特許文献１のサンプル装飾用囲いの切り口面が斜め上方を向いているので、消費者の目線よりも上方に向けてサンプル装飾用囲いの曲面が蛍光発光することになる。したがって、サンプル装飾用囲いの曲面を蛍光発光させても、消費者が気付きにくく、消費者の注目度が低いため、特定の商品サンプルを印象付けることができないという問題があった。
【先行技術文献】
【特許文献】
【０００６】
【特許文献１】実開平３−１０７７８６号公報
【発明の概要】
【発明が解決しようとする課題】
【０００７】
この発明は、自動販売機の展示室内に展示された特定の展示見本を目立たせて人の注目を引くことができる見本装飾パーツを提供することを目的とする。
【課題を解決するための手段】
【０００８】
この発明は、自動販売機の展示室内に展示される展示見本を装飾する見本装飾パーツであって、前記見本装飾パーツを、透光性を有する蛍光プラスチックで構成するとともに、該見本装飾パーツの端面が前記展示見本の正面と一致する方向に向けられて該展示見本の側部及び／又は下部に配置した見本装飾パーツであることを特徴とする。
【０００９】
上記蛍光プラスチック製の見本装飾パーツは、まわりの光を吸収してその光を全反射させる特徴を備えている。つまり、パーツの表面から内部に入光した光の多くは、パーツの内部で全反射しながら端面へ誘導され、該パーツの端面から濃密化された光が放出されるので、平面の明るさに比べて端面がより明るく蛍光発光することになる。
【００１０】
したがって、自動販売機の前面又は展示見本の正面と一致する方向に見本装飾パーツの端面（前側端面）を向けて、見本装飾パーツを、例えば展示室内に展示された展示見本の一側部又は両側部に起立した姿勢に配置するか、展示見本を固定するための台座として該展示見本の下部に配置すれば、展示見本の側部及び／又は下部に配置された見本装飾パーツの端面が正面に向けて蛍光発光する。  
これにより、展示室内に展示された特定の展示見本を見本装飾パーツの蛍光発光により目立たせることができる。
【００１１】
この発明の態様として、前記見本装飾パーツを、前記展示見本と平行して該展示見本の側部に起立した姿勢に配置される板状の側部パーツで構成することができる。  
上記構成によれば、側部パーツを、例えば展示見本の一側部又は両側部、あるいは、複数の展示見本を並列に配置してなる見本群の両側部に配置する。  
これにより、一側部又は両側部に配した側部パーツの端面が蛍光発光するので、展示室内に展示された特定の展示見本を目立たせることができる。
【００１２】
また、この発明の態様として、前記見本装飾パーツを、前記展示見本が起立した姿勢に固定される台状の台座パーツで構成することができる。  
上記構成によれば、自動販売機の展示室内に配置された台座パーツ上に、例えば１つの展示見本を固定するか、複数の展示見本を並列に固定する。  
これにより、展示見本が固定された台座パーツの端面が蛍光発光するので、展示室内に展示された特定の展示見本を目立たせることができる。
【００１３】
また、この発明の態様として、前記パーツの前端を、該パーツの長手方向から見て多面形状に形成することができる。  
上記構成によれば、一つの平坦な面を蛍光発光させるよりも、複数の面を蛍光発光させる方が全体の発光面積が大きく、より明るく蛍光発光することになる。  
これにより、展示室内に展示された特定の展示見本をより目立たせることができる。
【００１４】
また、この発明の態様として、前記パーツの前端に、該前端に沿って複数の凹凸を形成することができる。  
上記構成によれば、一つの平坦な面を蛍光発光させるよりも、複数の面を蛍光発光させる方が全体の発光面積が大きく、より明るく蛍光発光することになる。  
これにより、展示室内に展示された特定の展示見本をより目立たせることができる。
【００１５】
また、この発明の態様として、前記パーツに、前記自動販売機が販売する商品に関連した販売促進情報が印刷された表示ラベルを差込み固定するための差込み溝を形成することができる。  
上記構成によれば、展示見本を、例えば展示見本の側部又は／下部に配置されたパーツの差込み溝に、自動販売機が販売する商品に関連した販売促進情報が印刷された表示ラベルを差込み固定することができる。  
これにより、展示室内に展示された特定の展示見本を、パーツの蛍光発光と表示ラベルの販売促進情報との相乗効果により目立たせることができる。
【００１６】
また、この発明の態様として、前記パーツの上面に、前記展示見本の底部を差込み固定するための開口部を形成することができる。  
上記構成によれば、展示見本の底部をパーツの開口部に差し込んで、該展示見本を起立した姿勢に固定する。  
これにより、展示見本を、該展示見本が固定されたパーツの蛍光発光により目立たせることができる。
【００１７】
また、この発明の態様として、前記展示室内の壁面と対応する前記パーツの端部に、該壁面に対し前記パーツを吸着固定するための磁石を取り付けることができる。  
上記構成によれば、パーツの端部に取り付けられた磁石を、該磁石により吸着可能な金属（例えばスチール等）で構成された展示室内の壁面に吸着させて、パーツを、磁石の吸着力（磁力）により展示室内の壁面（実施形態の展示パネル、背面パネル等）に吸着固定する。  
これにより、例えば側部パーツを、展示室内に展示される展示見本の側部に起立した姿勢に固定したり、展示見本が固定された台座パーツを、展示室内の所望する展示位置に固定することができる。
【００１８】
また、この発明の態様として、前記側部パーツの間を、該側部パーツの配置間隔を左右方向に可変する連結手段で拡縮自在に連結することができる。  
上記構成によれば、側部パーツの配置間隔を、展示室内に展示される展示見本の展示数（例えば３個、４個、５個等）、すなわち、展示見本の全配列幅に対応して左右方向に可変調節する。  
これにより、側部パーツの間に配置された１つ又は複数の展示見本を、側部パーツの蛍光発光により目立たせることができる。
【００１９】
前記展示見本は、例えば真空成形、加圧成形、ブロー成形、押出し成形等の成形方法で成形することができる。また、展示見本は、例えば缶型、瓶型、ボトル型、箱型等の自動販売機が販売する商品と酷似する外観及び意匠に形成された縦断半割り形状(例えば半円筒形状、半矩形状等)の見本、あるいは、円筒形状の見本で構成することができる。
【００２０】
また、展示見本は、例えばポリアセタール、ポリプロピレン、ポリエチレン、ポリエステル、ポリカーボネード、アクリル等の透光性を有するプラスチック、あるいは、透明なプラスチックや着色された半透明なプラスチックで構成することができる。
【００２１】
また、見本装飾パーツには、例えば新発売、キャンペーン中、キャッチコピー、メッセージなどの宣伝広告文、あるいは、宣伝広告用の商標、文字、模様、図柄、入替中等の販売する商品に関連した販売促進情報を印刷している。なお、例えば茶葉、茶畑、花、樹木などの植物、あるいは、空、海、山、川等の自然、あるいは、犬、猫、鳥、人などの動物等の販売する商品のイメージに関連した販売促進情報を印刷してもよい。
【００２２】
さらに、販売促進体の形状は、例えば宣伝広告文、販売促進情報、植物、自然、動物等と酷似する外観形状に形成することができる。また、商品に関連する販売促進情報や販売イメージに対応して、例えば星形、花形、楕円形、菱形、ハート形、雲形、卵形、あるいは、正方形、矩形、三角形、五角形、六角形等の所望する大きさ及び形状に形成してもよい。
【発明の効果】
【００２３】
この発明によれば、展示見本の側部及び／又は下部に配置された見本装飾パーツの蛍光発光により、自動販売機の展示室内に展示された特定の展示見本を目立たせて、自動販売機に近づく人や商品を購入しようとする人の注目を引くことができる。これにより、自動販売機が販売する商品の訴求性を高めることができる。
【図面の簡単な説明】
【００２４】
【図１】本実施形態の見本装飾パーツを用いた自動販売機を示す斜視図。
【図２】展示見本と展示パネルの固定構造を示す拡大斜視図。
【図３】見本装飾パーツの側部パーツ及び台座パーツを示す外観斜視図。
【図４】側部パーツの構造を示す側面図。
【図５】側部パーツのＤ−Ｄ線矢視断面図、Ｅ−Ｅ線矢視断面図。
【図６】シングルタイプ及びダブルタイプの台座パーツを示す外観斜視図、Ｆ−Ｆ線矢視断面図。
【図７】台座パーツの構造を示す平面図。
【図８】展示見本と台座パーツの固定構造を示す拡大斜視図。
【図９】側部パーツの配置例と、表示ラベルの取付け例を示す正面図。
【図１０】台座パーツの配置例を示す正面図。
【図１１】側部パーツ及び台座パーツの配置例と、表示ラベルの取付け例を示す正面図。
【図１２】台座パーツの上下配置例と、表示ラベルの取付け例を示す正面図。
【図１３】側部パーツの間を連結構造で連結した連結例を示す斜視図。
【図１４】側部パーツの間を連結構造で連結した他の連結例を示す斜視図。
【図１５】側部パーツの間隔可変例を示す正面図。
【図１６】側部パーツ及び台座パーツの前端に複数の凹凸を設けたその他の例を示す斜視図。
【図１７】表示ラベルを差込みガイドする案内片を設けた側部パーツの他の例を示す斜視図。
【発明を実施するための形態】
【００２５】
この発明の一実施形態を以下図面に基づいて詳述する。  
図１は本実施形態の見本装飾パーツ１０を採用した自動販売機Ａを示す斜視図、図２は展示見本Ｃ１，Ｃ２と展示パネルＡｂの固定構造を示す拡大斜視図、図３は見本装飾パーツ１０の側部パーツ２０及び台座パーツ３０Ａ，３０Ｂを示す外観斜視図、図４は側部パーツ２０の構造を示す側面図、図５は側部パーツ２０のＤ−Ｄ線矢視断面図、Ｅ−Ｅ線矢視断面図、図６はシングルタイプ及びダブルタイプの台座パーツ３０Ａ，３０Ｂを示す外観斜視図、Ｆ−Ｆ線矢視断面図、図７は台座パーツ３０Ａ，３０Ｂの構造を示す平面図、図８は展示見本Ｃ１，Ｃ２と台座パーツ３０Ａ，３０Ｂの固定構造を示す拡大斜視図である。
【００２６】
本実施形態の見本装飾パーツ１０は、図１に示す自動販売機Ａの上部前面に設けられた展示室Ａａ内の展示パネルＡｂ上に配置される。  
また、見本装飾パーツ１０は、展示パネルＡｂ上に展示された１つの展示見本Ｃ１の両側部、あるいは、展示見本Ｃ１，Ｃ２の一方又は両方を並列してなる見本群の両側部に配置される一対の側部パーツ２０と、展示見本Ｃ１，Ｃ２の一方が載置されるシングルタイプの台座パーツ３０Ａと、展示見本Ｃ１，Ｃ２の一方又は両方が並列に載置されるダブルタイプの台座パーツ３０Ｂとで構成している。
【００２７】
また、側部パーツ２０及び台座パーツ３０Ａ，３０Ｂは、透光性を有する蛍光プラスチック（蛍光アクリル樹脂）で構成している。  
なお、展示見本Ｃ１は缶型の見本である。また、展示見本Ｃ２はボトル型の見本である。
【００２８】
展示室Ａａ内の下方には、展示見本Ｃ１，Ｃ２を展示するための展示パネルＡｂを水平に配置している。また、展示室Ａａ内の後方には、展示見本Ｃ１，Ｃ２が目立つ色に着色された背面パネルＡｃを配置している。さらに、展示室Ａａの前方（前面）には、透明な材質で形成されたフロントカバーＡｄを取り付けている。  
なお、展示パネルＡｂ及び背面パネルＡｃは、後述する磁石２６により吸着可能な金属（例えばスチール等）で構成している。
【００２９】
展示パネルＡｂの展示面には、図２に示すように、展示見本Ｃ１，Ｃ２の底面中央に形成された挿入部Ｃａを挿入するための平面視丸形状の開口部Ａｅを開口するとともに、該展示パネルＡｂの長手方向に対し等間隔を隔てて複数配列している。
【００３０】
また、展示パネルＡｂの下方には、展示見本Ｃ１，Ｃ２を照光するための光源Ｂ（例えばＬＥＤ発光素子、蛍光灯等）を上記開口部Ａｅと対向させて配設している。さらに、開口部Ａｅの両側縁部には、挿入部Ｃａの両側縁部に形成された側方突起Ｃｃを挿入するための切欠き部Ａｆを形成している。
【００３１】
展示見本Ｃ１，Ｃ２は、自動販売機Ａが販売する缶型の商品と、ボトル型の商品とに酷似する外観及び意匠に形成している。また、缶型及びボルト型の商品の軸芯を中心として、該商品を前後に２つ割りしてなる縦断半割り形状に透光性を有するプラスチック製のシートで形成している。
【００３２】
また、展示見本Ｃ１，Ｃ２の底面中央には、図２、図８に示すように、展示パネルＡｂの開口部Ａｅと後述する台座パーツ３０Ａ，３０Ｂの開口部３１に対し差込み固定される横断面視半円形状の挿入部Ｃａを形成している。
【００３３】
挿入部Ｃａの下端側中央外周には、開口部Ａｅ，３１の前側中央縁部に対し下面側から係止される前方突起Ｃｂを形成している。また、挿入部Ｃａの両側下縁部には、開口部Ａｅ，３１の両側縁部に対し下面側から係止される側方突起Ｃｃを形成している。
【００３４】
前記一対の側部パーツ２０は、図３、図４、図５に示すように、図９の（ｂ）に示す展示見本Ｃ１，Ｃ２の上下とほぼ同等の高さに形成している。また、展示見本Ｃ１，Ｃ２の側面とほぼ同等の幅に形成している。また、実施形態では、対称形状に形成した側部パーツ２０を、展示見本Ｃ１，Ｃ２の右側部及び左側部にそれぞれ配置するが、一つの側部パーツ２０を上下逆転して配置すれば、左右共通して使用することもできる。
【００３５】
側部パーツ２０の前端には、図５の（ａ）に示すように、該側部パーツ２０の上端側（又は上方）から見て平面視台形状の前側端面２１を形成している。  
前側端面２１は、中央平面２１ａと、前方両側斜面２１ｂと、後方両側斜面２１ｃとからなる多面形状に形成している。各面２１ａ，２１ｂ，２１ｃを前端側から後端側に向けて順に配置して、平面（又は上方）から見て前端側から後端側に向けて徐々に幅広となる平面視台形状に形成している。
【００３６】
前側端面２１の中央平面２１ａは、側部パーツ２０の厚みとほぼ同じ幅に形成され、該側部パーツ２０の厚み方向と平行している。また、前方両側斜面２１ｂは、左右斜め前方に向けて光が放出される角度に傾斜している。また、後方両側斜面２１ｃは、左右斜め後方に向けて光が放出される角度に傾斜している。
【００３７】
側部パーツ２０の前側端面２１へ誘導された一部の光は、前方に向けて真っ直ぐに放出され、残りの光は、左右斜め前方と左右斜め後方とに向けて放出される。  
これにより、単一の平坦な端面を蛍光発光させるよりも、側部パーツ２０の前側端面２１に形成された中央平面及び前方両側斜面及び後方両側斜面を蛍光発光させる方が全体の発光面積が大きく、より明るく発光させることができる。
【００３８】
側部パーツ２０の前側上端部及び前側下端部には、図３、図４の仮想線で示す表示ラベルＣ３を差込み固定するための差込み溝２２を、側部パーツ２０の前側端面２１に沿って縦方向に形成している。
【００３９】
差込み溝２２は、表示ラベルＣ３の差込み片Ｃ３ａの差込みが許容される溝幅に形成している。また、差込み溝２２の対向する内壁面には、該差込み溝２２の幅方向に突出する平面視半円形状の凸部２３を形成している。さらに、凸部２３は、差込み溝２２に沿って両側から互い違いに突出され、平面視千鳥状に配列している。
【００４０】
また、凸部２３は、表示ラベルＣ３の差込み片Ｃ３ａに対し押し付けられる面を角がなく滑らかな曲面に形成しているので、表示ラベルＣ３の差込み片Ｃ３ａに対する接触抵抗を小さくすることができる。
【００４１】
つまり、表示ラベルＣ３を、販売促進情報が印刷された表示面が正面向きとなるように保持して、側部パーツ２０の差込み溝２２に対し上下方向又は左右方向から差し込む。  
これにより、表示ラベルＣ３を差込み溝２２に差し込みやすくするとともに、該差込み溝２２に沿って所望する差込み位置にスライド調節することができる。
【００４２】
また、側部パーツ２０の展示見本Ｃ１，Ｃ２と対向しない反対側（外側）の上部側面及び下部側面には、図４の（ｂ）の仮想線で示す表示ラベルＣ５の係止片Ｃ５ａを係止するための係止爪２４を形成している。  
係止爪２４は、表示ラベルＣ５の係止片Ｃ５ａが係止される長さ及び幅に形成され、側部パーツ２０の側面を外側に突出するとともに、該側面に沿って上向き及び下向きに形成している。
【００４３】
また、上側の係止爪２４は側面に沿って上向きに形成し、下側の係止爪２４は側面に沿って下向きに形成している。さらに、係止爪２４の３辺は、係止爪２４に対し係止片Ｃ５ａが係止ガイドされる角度に傾斜している。
【００４４】
側部パーツ２０の後側端面には、図５の（ｂ）に示すように、磁石２６を埋め込むための埋込み部２５を形成している。埋込み部２５には、前記背面パネルＡｃに対し吸着固定される磁石２６をそれぞれ埋め込んでいる。
【００４５】
また、埋込み部２５は、側部パーツ２０の後側端面に沿って上下方向に間隔を隔てて配置している。さらに、埋込み部２５に埋め込まれた磁石２６は、該磁石２６の吸着面を側部パーツ２０の後側端面に対し同一平面となるように露出している。  
なお、磁石２６を、側部パーツ２０の下側端面や上側端面に取り付けてもよく、側部パーツ２０を展示パネルＡｂに対し起立した姿勢に吸着固定することができる。
【００４６】
前記台座パーツ３０Ａ，３０Ｂは、図６、図７、図８に示すように、展示見本Ｃ１，Ｃ２の一方が載置される大きさ及び形状に形成された平面視正方形の台座パーツ３０Ａと、展示見本Ｃ１，Ｃ２の一方又は両方が並列に載置される大きさ及び形状に形成された平面視矩形の台座パーツ３０Ｂとで構成している。
【００４７】
台座パーツ３０Ａの中央上面と、台座パーツ３０Ｂの左右上面には、展示見本Ｃ１，Ｃ２の挿入部Ｃａを差込み固定するための平面視半円形状の開口部３１を形成している。また、台座パーツ３０Ｂの開口部３１は、展示パネルＡｂの開口部Ａｅと対応する間隔を隔てて２箇所形成している。
【００４８】
開口部３１は、上述した開口部Ａｅを半分（１／２）にした大きさ及び形状に形成している。また、開口部３１の両側縁部には、展示見本Ｃ１，Ｃ２の挿入部Ｃａに形成された側方突起Ｃｃを挿入するための切欠き部３２を形成している。
【００４９】
また、台座パーツ３０Ａ，３０Ｂの開口部３１が形成された平面部は、該開口部３１に挿入された展示見本Ｃ１，Ｃ２の挿入部Ｃａと、台座パーツ３０Ａ，３０Ｂが配置された展示パネルＡｂとの当接が回避される高さに形成している。
【００５０】
台座パーツ３０Ａ，３０Ｂの前端には、該台座パーツ３０Ａ，３０Ｂの正面側から見て正面視矩形状の前側端面３０Ｃを形成している。また、該前端側上面には、図６の（ａ，ｂ）の仮想線で示す横長の表示ラベルＣ４を差込み固定するための差込み溝３３を該前端に沿って幅方向に形成している。
【００５１】
差込み溝３３は、表示ラベルＣ４を起立した姿勢に支持する溝深さに形成している。また、差込み溝３３の対向する内壁面には、該差込み溝３３の幅方向に突出する平面視半円形状の凸部３４を形成している。さらに、凸部３４は、差込み溝３３に沿って両側から互い違いに突出され、平面視千鳥状に配列している。
【００５２】
また、凸部３４は、表示ラベルＣ４の差込み側縁部に対し押し付けられる押付け面を角がなく滑らかな曲面に形成しているので、表示ラベルＣ４の差込み側縁部に対する接触抵抗を小さくすることができる。  
これにより、表示ラベルＣ４を差込み溝３３に差し込みやすくするとともに、該差込み溝３３に沿って所望する差込み位置にスライド調節することができる。
【００５３】
台座パーツ３０Ａ，３０Ｂの後側端面には、図６の（ｃ）に示すように、磁石３６を埋め込むための埋込み部３５を形成している。埋込み部３５には、前記背面パネルＡｃに対し吸着固定される磁石３６をそれぞれ埋め込んでいる。  
台座パーツ３０Ａの埋込み部３５は、１つの開口部３１と対応して後側中央端面に形成している。また、台座パーツ３０Ｂの埋込み部３５は、２つの開口部３１と対応して後側両側端面に２箇所形成している。さらに、埋込み部３５に埋め込まれた磁石３６は、該磁石３６の吸着面を台座パーツ３０Ａ，３０Ｂの後側端面に対し同一平面となるように露出している。
【００５４】
なお、磁石３６を、台座パーツ３０Ａ，３０Ｂの下側端面に取り付けてもよく、台座パーツ３０Ａ，３０Ｂを展示パネルＡｂに対し吸着固定することができる。
【００５５】
次に、展示室Ａａに展示される展示見本Ｃ１，Ｃ２を、一対の側部パーツ２０だけで目立たせる展示方法を説明する。  
先ず、図２に示すように、展示見本Ｃ１，Ｃ２の挿入部Ｃａを、展示パネルＡｂの開口部Ａｅに上方から差し込み、挿入部Ｃａの前方突起Ｃｂを開口部Ａｅの前側中央縁部に対し下方から係止する。また、左右の側方突起Ｃｃを開口部Ａｅの両側縁部に対し下方から係止すれば、展示見本Ｃ１，Ｃ２を、自動販売機Ａの前面と対応して、展示室Ａａの展示パネルＡｂに対し正面向きに起立した姿勢に固定することができる。
【００５６】
次に、図９の（ａ）に示すように、側部パーツ２０を、自動販売機Ａの前面と対応する方向に側部パーツ２０の前側端面２１が正面向きとなる起立姿勢に保持して、展示パネルＡｂ上に展示された展示見本Ｃ１の両側部に配置する。  
あるいは、図９の（ｂ）に示すように、展示見本Ｃ１，Ｃ２を２個並列してなる見本群の両側部、すなわち、正面から見て展示見本Ｃ１の左側部と、展示見本Ｃ２の右側部とにそれぞれ配置する。
【００５７】
つまり、側部パーツ２０を、該側部パーツ２０の前側端面２１が展示見本Ｃ１，Ｃ２の正面と一致する方向に向けて配置することができる。  
また、側部パーツ２０の後側端面を、展示室Ａａの背面パネルＡｃに押し当てて、磁石２６の吸着力により背面パネルＡｃに対し吸着固定する。  
これにより、一対の側部パーツ２０を、展示見本Ｃ１の両側部に起立した姿勢に固定したり、展示見本Ｃ１，Ｃ２を並列してなる見本群の両側部に起立した姿勢に固定することができる。
【００５８】
上述の側部パーツ２０は、まわりの光を吸収してその光を全反射させる機能を備えている。つまり、側部パーツ２０の表面から内部に入光した光の多くは、側部パーツ２０の内部で全反射しながら端面へ誘導され、該側部パーツ２０の端面から濃密化された光が放出されるので、平面の明るさに比べて端面がより明るく蛍光発光することになる。
【００５９】
したがって、側部パーツ２０を、前側端面２１が正面向きとなる起立姿勢に保持して、展示パネルＡｂ上に展示された展示見本Ｃ１の両側部、あるいは、展示見本Ｃ１，Ｃ２の両側部に配置すれば、側部パーツ２０の前側端面２１が展示見本Ｃ１，Ｃ２の正面と一致する方向に向けて蛍光発光することになる。また、前側端面２１以外に、正面を向いた残りの端面も蛍光発光する。  
これにより、側部パーツ２０，２０の間に配置された展示見本Ｃ１，Ｃ２を目立たせることができるとともに、注目度の高い商品が積極的に選択及び購入されやすく、商品の販売促進、売上向上を図ることができる。
【００６０】
また、サイズ（内容量）が異なる展示見本Ｃ２，Ｃ２を、一対の側部パーツ２０により目立たせる展示方法を説明する。  
先ず、図９の（ｃ）に示すように、一方の側部パーツ２０を大サイズの展示見本Ｃ２の左側上部に配置し、他方の側部パーツ２０を小サイズの展示見本Ｃ２の右側部に配置して、一対の側部パーツ２０を、大サイズ及び小サイズの展示見本Ｃ２に対応して背面パネルＡｃに対し上下高さ違いに固定する。  
これにより、展示見本Ｃ２の側部に配置された側部パーツ２０が正面向けて蛍光発光するので、サイズが異なる２種類の展示見本Ｃ２を側部パーツ２０の蛍光発光により目立たせることができる。
【００６１】
なお、一対の側部パーツ２０を、展示見本Ｃ２が支持される間隔を隔てて背面パネルＡｃに吸着固定した後、展示見本Ｃ２を、一対の側部パーツ２０の間に手前側から挿入して、展示パネルＡｂの開口部Ａｅに差込み固定してもよい。  
また、図９の（ａ，ｂ，ｃ）に示すように、側部パーツ２０，２０の前側上下端部には、旗状の表示ラベルＣ３を差込み固定している（図３の仮想線参照）。
【００６２】
次に、展示見本Ｃ１を、台座パーツ３０Ａで目立たせる展示方法を説明する。  
先ず、図８に示すように、展示見本Ｃ１の挿入部Ｃａを、台座パーツ３０Ａの開口部３１に対し上方から差し込み、挿入部Ｃａの前方突起Ｃｂを開口部３１の前側中央縁部に係止する。また、左右の側方突起Ｃｃを開口部３１の切欠き部３２，３２に係止すれば、展示見本Ｃ１を、台座パーツ３０Ａの前側端面３０Ｃと一致させて正面向きに起立した姿勢に差込み固定することができる。
【００６３】
次に、図１０の（ａ）に示すように、展示見本Ｃ１が固定された台座パーツ３０Ａを、自動販売機Ａの前面と対応する方向に台座パーツ３０Ａの前側端面３０Ｃが正面向きとなる姿勢に保持して、展示室Ａａの展示パネルＡｂ上の開口部３１上方に載置した後、台座パーツ３０Ａの後側端面を、磁石３６の吸着力により背面パネルＡｃに吸着固定する。
【００６４】
つまり、台座パーツ３０Ａを、該台座パーツ３０Ａの前側端面３０Ｃが展示見本Ｃ１の正面と一致する方向に向けて配置することができる。  
この結果、前記実施形態と同様に、台座パーツ３０Ａの前側端面３０Ｃが展示見本Ｃ１の正面と一致する方向に向けて蛍光発光するので、展示見本Ｃ１を台座パーツ３０Ａの蛍光発光により目立たせることができる。また、前側端面３０Ｃ以外に、正面を向いた残りの端面も蛍光発光する。
【００６５】
次に、展示見本Ｃ１，Ｃ２を、台座パーツ３０Ｂで目立たせる展示方法を説明する。  
先ず、上述と同様にして、同一サイズの展示見本Ｃ１，Ｃ２を表面側が正面向きとなるように保持して、台座パーツ３０Ｂの開口部３１，３１に対し正面向きに起立した姿勢に差込み固定する。つまり、展示見本Ｃ１，Ｃ２を、台座パーツ３０Ｂの前側端面３０Ｃと一致させて正面向きに起立した姿勢に差込み固定することができる。
【００６６】
次に、図１０の（ｂ）に示すように、展示見本Ｃ１，Ｃ２が並列に固定された台座パーツ３０Ｂを、自動販売機Ａの前面と対応する方向に台座パーツ３０Ｂの前側端面３０Ｃが正面向きとなる姿勢に保持して、展示室Ａａの展示パネルＡｂ上に載置した後、台座パーツ３０Ｂの後側端面を、磁石３６の吸着力により背面パネルＡｃに吸着固定する。
【００６７】
つまり、台座パーツ３０Ｂを、該台座パーツ３０Ｂの前側端面３０Ｃが展示見本Ｃ１，Ｃ２の正面と一致する方向に向けて配置することができる。  
この結果、前記実施形態と同様に、台座パーツ３０Ｂの前側端面３０Ｃが正面向けて蛍光発光するので、展示見本Ｃ１，Ｃ２を台座パーツ３０Ｂの蛍光発光により同時に目立たせることができる。
【００６８】
また、図１０の（ｃ）に示すように、台座パーツ３０Ａを台座パーツ３０Ｂの右側上面（又は左側上面）に重ね合せた後、展示見本Ｃ２を低位側台座パーツ３０Ｂの開口部３１に差込み固定し、展示見本Ｃ２を高位側台座パーツ３０Ａの開口部３１に差込み固定すれば、同一サイズの展示見本Ｃ２，Ｃ２を上下高さ違いに展示することができる。
【００６９】
これにより、台座パーツ３０Ａ，３０Ｂを上下に重ね合わせた方の蛍光発光する面積が大きくなるので、高位側の展示見本Ｃ１の方を上下台座パーツ３０Ａ，３０Ｂの蛍光発光により目立たせることができる。  
なお、図１０の（ａ，ｂ，ｃ）に示すように、台座パーツ３０Ａ，３０Ｂの前端には、横長の表示ラベルＣ４を差込み固定している（図６の仮想線参照）。
【００７０】
次に、展示見本Ｃ２を、側部パーツ２０と台座パーツ３０Ａ，３０Ｂとを用いて目立たせる展示方法を説明する。  
先ず、図１１の（ａ）に示すように、展示見本Ｃ２，Ｃ２を、上下に重ね合わされた台座パーツ３０Ａ，３０Ｂに固定した後、展示見本Ｃ２，Ｃ２が固定された台座パーツ３０Ｂを展示パネルＡｂ上に載置して、台座パーツ３０Ｂの後側端面を、磁石３６の吸着力により背面パネルＡｃに吸着固定する。  
なお、側部パーツ２０の前側上端部には、旗状の表示ラベルＣ３を差込み固定している（図３の仮想線参照）。また、台座パーツ３０Ｂの前端には、横長の表示ラベルＣ４を差込み固定している（図６の仮想線参照）。
【００７１】
また、図１１の（ｂ）に示すように、５個の展示見本Ｃ２が並列に固定された台座パーツ３０Ａ，３０Ｂを展示パネルＡｂ上に載置して、台座パーツ３０Ａの両側端面に、左右に配置された台座パーツ３０Ｂの一側端面を当接する。この後、台座パーツ３０Ａ，３０Ｂを、磁石３６の吸着力により背面パネルＡｃに吸着固定する。
【００７２】
次に、一対の側面支持板２０を、左側台座パーツ３０Ｂに固定された左端の展示見本Ｃ２の左側部と、右側台座パーツ３０Ｂに固定された右端の展示見本Ｃ２の右側部とに配置するとともに、側部パーツ２０の下端側垂直面を左右台座パーツ３０Ｂの外側端面に押し当てる。  
また、側部パーツ２０の後側端面を、磁石２６の吸着力により背面パネルＡｃに吸着固定して、側面支持板２０を、左右台座パーツ３０Ｂに固定された左端展示見本Ｃ２の左側部と、右端展示見本Ｃ２の右側部とに起立した姿勢に固定する。
【００７３】
これにより、側部パーツ２０又は台座パーツ３０Ａ，３０Ｂのいずれか一方を蛍光発光させるよりも、側部パーツ２０及び台座パーツ３０Ａ，３０Ｂの両方を蛍光発光させた方が展示見本Ｃ２をより目立たせることができる。
【００７４】
また、展示見本Ｃ２を５個並列してなる見本群の三方（正面から見て左右及び下方）が、一対の側部パーツ２０と台座パーツ３０Ａ，３０Ｂとで囲繞されるので、展示見本Ｃ２の左右あるいは下方のみを蛍光発光させるよりも、蛍光発光する面積が大きく、前記実施形態と略同等又は同等以上の作用及び効果を奏することができる。  
なお、側部パーツ２０，２０の前側上端部と前側下端部間には、旗状の表示ラベルＣ３と帯状の表示ラベルＣ４とをそれぞれ差込み固定している（図３の仮想線参照）。
【００７５】
また、図１２の（ａ）に示すように、台座パーツ３０Ｂを、側部パーツ２０，２０の上端部間に掛け渡して配置してもよい。  
これにより、展示見本Ｃ１を２個並列してなる見本群の四方（正面から見て上下及び左右）が、一対の側部パーツ２０と一対の台座パーツ３０Ｂとで囲繞されるので、図１１に示すように展示見本Ｃ２の三方を蛍光発光させるよりも、蛍光発光する面積がさらに大きく、前記実施形態と略同等又は同等以上の作用及び効果を奏することができる。
【００７６】
また、図１２の（ｂ）に示すように、展示見本Ｃ１を３個並列してなる見本群の上部前面が露出される大きさ及び形状に形成した帯状の表示ラベルＣ５を、側部パーツ２０，２０の前側下端部間に跨って取り付けてもよい。  
つまり、図４の（ｂ）に示す仮想線のように、表示ラベルＣ５の両側端部に形成された上下の係止片Ｃ５ａを、側部パーツ２０，２０に形成された上下の係止爪２４，２４に係止して、表示ラベルＣ５を側部パーツ２０，２０の前側下端部間に取り付ける。  
これにより、３個並列された展示見本Ｃ１を、表示ラベルＣ５よりも上方に露出する側部パーツ２０の蛍光発光により目立たせることができる。
【００７７】
また、図１２の（ｃ）に示すように、展示見本Ｃ１を３個並列してなる見本群の上部前面が露出される大きさ及び形状に形成した中央部開口型の表示ラベルＣ６を、側部パーツ２０，２０の前側対向面間に跨って取り付けてもよい。  
つまり、図４の（ｂ）及びａ部拡大図に示すように、表示ラベルＣ６の両側端部に形成された上下の差込み片Ｃ６ａを、側部パーツ２０，２０に形成された上下の差込み溝２２に差し込んで、表示ラベルＣ６を側部パーツ２０，２０の前側対向面間に取り付ける。  
これにより、３個並列された展示見本Ｃ１を、側部パーツ２０，２０の蛍光発光により目立たせることができる。
【００７８】
図１３は、側部パーツ２０，２０の間を、該側部パーツ２０，２０の配置間隔を左右方向に可変する連結構造５０で拡縮自在に連結した連結例を示す斜視図である。  
本例の連結構造５０は、側部パーツ２０，２０の対向側平面部に対し直交して固定された連結板５１と、該連結板５１の前面側に掛け渡された可撓性を有する透明な連結フィルム５２とで連結している。
【００７９】
連結板５１と連結フィルム５２とは、連結板５１の前面側遊端部に突設された２つの係止ピン５１ａを、連結フィルム５２の両端側平面部に形成された２本の長孔５２ａにそれぞれ係止して、該長孔５２ａに沿って長手方向に対して水平移動自在に連結している。なお、長孔５２ａは、連結フィルム５２の長手方向と平行して形成している。
【００８０】
つまり、連結板５１の係止ピン５１ａを、連結フィルム５２の長孔５２ａに沿って移動させ、側部パーツ２０，２０の配置間隔を、展示室Ａａの展示パネルＡｂに展示される展示見本Ｃ１，Ｃ２の展示数（例えば３個、４個、５個等）、すなわち、展示見本Ｃ１，Ｃ２の一方又は両方の全配列幅に対応して左右方向に可変調節する。  
これにより、側部パーツ２０，２０の間に配置された展示見本Ｃ１，Ｃ２を、側部パーツ２０，２０の蛍光発光により目立たせることができる。
【００８１】
また、前記台座パーツ３０Ａ，３０Ｂを側部パーツ２０，２０の間に配置し、該台座パーツ３０Ａ，３０Ｂに展示見本Ｃ１及び又はＣ２を固定すれば、側部パーツ２０及び台座パーツ３０Ａ，３０Ｂの蛍光発光により展示見本Ｃ１及び又はＣ２をより目立たせることができるとともに、存在感をより強調することができる。
【００８２】
図１４は、側部パーツ２０，２０の間を、該側部パーツ２０，２０の配置間隔を左右方向に可変する連結構造６０で拡縮自在に連結した他の連結例を示す斜視図、図１５は、側部パーツ２０，２０の間隔可変例を示す正面図である。  
本例の連結構造６０は、メインアーム６１と一対のサブアーム６２とで構成している。また、メインアーム６１及びサブアーム６２は、透光性を有する蛍光アクリル樹脂で形成している。
【００８３】
メインアーム６１の両端部には、サブアーム６２，６２の基端部を水平回動自在に連結している。また、メインアーム６１の下面側両端部及びサブアーム６２の下面側遊端部には、後述する側部パーツ２０の磁石６４に対し吸着固定される磁石６３を取り付けている。  
一方、側部パーツ２０の対向する上端側平面部には、上述の磁石６３が吸着固定される磁石６４を取り付けている。
【００８４】
メインアーム６１は、側部パーツ２０，２０の配置間隔を３個分の展示見本Ｃ１と対応する配置幅に規制する長さに形成している。また、サブアーム６２は、側部パーツ２０の配置間隔を１個分の展示見本Ｃ１と対応する配列幅だけ拡張する長さに形成している。
【００８５】
つまり、連結構造６０のサブアーム６２を、メインアーム６１の後側縁部と対向する方向へ水平回動して、メインアーム６１の後側縁部に沿った状態に折り畳んだ後、メインアーム６１を、左右に配置された側部パーツ２０，２０の上端部間に掛け渡して、メインアーム６１に取り付けられた左右の磁石６３と、側部パーツ２０に取り付けられた磁石６４とを吸着固定すれば、側部パーツ２０，２０の配置間隔を、３個分の展示見本Ｃ１の配列幅と対応する間隔に規制することができる（図１５のａ参照）。
【００８６】
また、一方のサブアーム６２を水平回動して、メインアーム６１の一端を一方へ延長した状態に展開した後、メインアーム６１及びサブアーム６２を、左右に配置された側部パーツ２０，２０の上端部間に掛け渡して、メインアーム６１及びサブアーム６２に取り付けられた磁石６３と、側部パーツ２０に取り付けられた磁石６４とを吸着固定すれば、側部パーツ２０，２０の配置間隔を、４個分の展示見本Ｃ１の配列幅と対応する間隔に規制することができる（図１５のｂ参照）。
【００８７】
また、左右のサブアーム６２を水平回動して、メインアーム６１の両端部を左右へ延長した状態に展開した後、メインアーム６１及びサブアーム６２を、左右に配置された側部パーツ２０，２０の上端部間に掛け渡して、サブアーム６２に取り付けられた磁石６３と、側部パーツ２０に取り付けられた磁石６４とを吸着固定すれば、側部パーツ２０，２０の配置間隔を、５個分の展示見本Ｃ１の配列幅と対応する間隔に規制することができる（図１５のｃ参照）。
【００８８】
これにより、側部パーツ２０，２０の間に配置された複数の展示見本Ｃ１を、側部パーツ２０及びメインアーム６１及びサブアーム６２の蛍光発光により目立たせることができる。  
また、側部パーツ２０，２０の間に配置された台座パーツ３０Ａ，３０Ｂの上に展示見本Ｃ１を固定すれば、側部パーツ２０及び台座パーツ３０Ａ，３０Ｂ及びメインアーム６１及びサブアーム６２の蛍光発光により展示見本Ｃ１をより目立たせることができるとともに、存在感をより強調することができる。  
なお、側部パーツ２０，２０の前側下端部間には、帯状の表示ラベルＣ４を取り付けている。
【００８９】
図１６の（ａ）は、側面視三角形の凹凸部２７を、側部パーツ２０の前端に沿って複数形成したその他の例を示す斜視図、図１６の（ｂ）は、平面視三角形の凹凸部３７を、台座パーツ３０Ａの前端に沿って複数形成した他の例を示す斜視図である。
【００９０】
本例の凹凸部２７，３７は、側部パーツ２０，２０の間に展示見本Ｃ１を配置するか、台座パーツ３０Ａ上に展示見本Ｃ１を固定すれば、単一の平坦な端面を蛍光発光させるよりも、側部パーツ２０，３０の凹凸部２７，３７を蛍光発光させる方が全体の発光面積が大きく、より明るく蛍光発光させることができる。
【００９１】
これにより、側部パーツ２０，２０の間あるいは台座パーツ３０Ａ上に配置された特定の展示見本Ｃ１を、側部パーツ２０あるいは台座パーツ３０Ａの蛍光発光により目立たせることができる。  
なお、凹凸部３７を、台座パーツ３０Ｂの前端に形成してもよい。また、凹凸部２７を備えた側部パーツ２０と、凹凸部３７を備えた台座パーツ３０Ａ，３０Ｂとを組み合わせてもよい。  
さらに、凹凸部２７，３７の代わりに、例えば半円形状の凹凸部を側部パーツ２０及び台座パーツ３０Ａ，３０Ｂの前端に形成するか、その前端を、該前端に沿って滑らかな波形状に形成してもよい。
【００９２】
図１７は、正面から見て弧状の案内片２８を、側部パーツ２０の前端側一側面に形成したその他の例を示す斜視図である。
【００９３】
本例の案内片２８は、側部パーツ２０の前側端面２１の一側斜面２１ｂの後縁部と、該側部パーツ２０の差込み溝２２の前側縁部とに沿って縦方向に形成している。また、案内片２８は、正面から見て中央部を側部パーツ２０の一側面に沿う高さに形成し、その中央部から上下端部に向けて徐々に内側へ突出する曲面形状に形成している。
【００９４】
つまり、表示ラベルＣ６の両側端部に形成された上下の差込み片Ｃ６ａを、側部パーツ２０の差込み溝２２に差し込む際、側部パーツ２０の案内片２８に沿わせて差込み溝２２に差し込むので、差込み片Ｃ６ａの差込み位置がブレにくく、差込み溝２２に対しまっすぐに差込みガイドすることができる。
【００９５】
これにより、表示ラベルＣ６を、側部パーツ２０に取り付ける作業が簡単且つ容易に行え、作業性が向上する。
【００９６】
この発明の構成と、前記実施形態との対応において、  
この発明のパーツは、側部パーツ２０と、台座パーツ３０Ａ，３０Ｂに対応し、  
以下同様に、  
壁面は、展示パネルＡｂ、背面パネルＡｃに対応し、  
連結手段は、連結構造５０，６０に対応するも、  
この発明は、上述の実施形態の構成のみに限定されるものではなく、請求項に示される技術思想に基づいて応用することができ、多くの実施の形態を得ることができる。
【００９７】
例えば側部パーツ２０の前側端面２１を、上方から見て角がなく滑らかな曲面を有する平面視半円形状に形成してもよい。また、凹凸部２７，３７を、メインアーム６１及びサブアーム６２の長手側前端に形成してもよい。
【００９８】
なお、表示ラベルＣ３〜Ｃ６は、透光性を有するプラスチック製のシートで形成している。また、表示ラベルＣ３〜Ｃ６には、自動販売機Ａが販売する商品に関連した販売促進情報（例えば新発売、キャンペーン中、キャッチコピー、メッセージなどの宣伝広告文、あるいは、宣伝広告用の商標、文字、模様、図柄、入替中等）を印刷している。
【符号の説明】
【００９９】
Ａ…自動販売機
Ａａ…展示室
Ａｂ…展示パネル
Ａｃ…背面パネル
Ａｅ…開口部
Ｃ１，Ｃ２…展示見本
Ｃａ…挿入部
Ｃ３，Ｃ４，Ｃ５，Ｃ６…表示ラベル
１０…見本装飾パーツ
２０…側部パーツ
２１…前側端面
２２…差込み溝
２６…磁石
２７…凹凸部
２８…案内片
３０Ａ，３０Ｂ…台座パーツ
３０Ｃ…前側端面
３１…開口部
３３…差込み溝
３６…磁石
３７…凹凸部
５０…連結構造
５１…連結板
５２…連結フィルム
６０…連結構造
６１…メインアーム
６２…サブアーム
６３，６４…磁石
【図１】
2012022606.tif 000003
【図２】
2012022606.tif 000004
【図３】
2012022606.tif 000005
【図４】
2012022606.tif 000006
【図５】
2012022606.tif 000007
【図６】
2012022606.tif 000008
【図７】
2012022606.tif 000009
【図８】
2012022606.tif 000010
【図９】
2012022606.tif 000011
【図１０】
2012022606.tif 000012
【図１１】
2012022606.tif 000013
【図１２】
2012022606.tif 000014
【図１３】
2012022606.tif 000015
【図１４】
2012022606.tif 000016
【図１５】
2012022606.tif 000017
【図１６】
2012022606.tif 000018
【図１７】
2012022606.tif 000019